(57)【要約】パケット部（１１）、蓋（１２）、カラー（１３）を有する曲折パケットを製造するために、一繋がりのブランクが用いられ、カラー（１３）は、接続ウエブ（１５，１６）を介して主ブランク（１４）に接続される。カラー（１３）は、縁部側のカラー曲折線を介して接続ウエブ（１５）に接続され、接続ウエブ（１５，１６）は、横断方向を指向する曲折線（４１，４２）を介して主ブランク（１４）に接続されるので、カラー（１３）は、相互に連続する２つの曲折ステップによってしかるべき位置に移動される。【選択図】    図２
2007537937.tif 000002
【特許請求の範囲】
【請求項１】
特に、シガレット用のバンドルパックである曲折パケットであって、パケット部（11）、蓋（12）、および、カラー（13）を形成するための一続きのブランクを含み、
カラー（13）は、少なくとも１つの接続ウエブ（15,16）を介して、ブランクのパケット部（11）に接続されており、
カラー（13）は、接続ウエブ（15,16）の少なくとも１つの（ウエブ）曲折線（41,42）を介して、ブランクの内側と向き合って曲折されることができ、前記曲折線（41,42）は、直立するパックの縁部（39,40）を横断して延出しており、以下の点すなわち、カラー（13）は、曲折線、すなわち、カラー（13）の外側境界部または外側縁部面に延出するカラーの曲折線（44）を介して、接続ウエブ（15,16）に接続される点、および、カラー（13）は、互いに連続する２つの曲折ステップを経て、パケットの位置であるブランクの内側に曲折されることができる点を特徴とする曲折パケット。
【請求項２】
カラーは、横断的に接続ウエブ（15,16）の１つに取り付けられ、直立に、または、パケット縁部（39,40）の方向に延出するカラーの曲折線（44）に沿って、接続ウエブ（15,16）に対して曲折されることができる点を特徴とする請求項１に記載の曲折パケット。
【請求項３】
カラー（13）は、パケット前部壁（18）とパケット後部壁（20）の間に設けられるパケット側部壁（19）に接続される接続ウエブ（15）に隣接しており、カラー（13）は、カラーの曲折線（44）を介して横断的に接続ウエブ（15）に隣接する点を特徴とする請求項１または２に記載の曲折パケット。
【請求項４】
第２の接続ウエブ（16）は、パケットの側部壁（17）に接続され、両接続ウエブ（15,16）は、蓋のタブ（38）の外側にあって、Ｕ字状の接続ユニットを形成する横断方向ウエブ（43）によって連結されており、
接続ウエブ（15,16）は、パケットの側部壁（17,19）の下方縁部において同じ方向を向くウエブ曲折線（41,42）に沿って一緒に曲折されることができる点を特徴とする請求項１〜３のいずれか１に記載の曲折パケット。
【請求項５】
第１の曲折ステップにおいて、カラー（13）は、カラーの曲折線（44）に沿って曲折されて接続ウエブ（15,16）と一部において接することができ、接続ウエブ（15,16）とカラー（13）を含むユニットは、次いで、ウエブ曲折線（41,42）に沿って曲折されて、ブランクすなわち主ブランク（14）の内側と接する点を特徴とする請求項１〜４のいずれか１に記載の装置。
【請求項６】
カラー（13）および/または接続ウエブ（15,16）および/または横断方向ウエブ（43）は、カラーの前部壁（45）および横断方向ウエブ（43）の領域において、接着剤等によって、特に、接着剤のスポット（60,61）によって、パケット部（11）に固定される点を特徴とする請求項１〜５のいずれか１に記載の曲折パケット。
【請求項７】
ブランクすなわち主ブランク（14）の場合には、接続ウエブ（16）は、横断方向曲折原則にしたがって縁部側のパケット側部壁（17）の面に存在し、パケットの側部壁（17）よりも小さい幅を備え、自由な縁部側のストリップ（55）が、パケットの側部壁（17）の領域に形成されて、パケットの側部壁（17）に接続するための周囲タブ（21）の重なり部のない接触を生じる点を特徴とする請求項１〜６のいずれか１に記載の曲折パケット。
【請求項８】
縁部側のパケットの側部壁（17）または蓋の側部壁（22）と向き合うカラータブ（46）は接続ウエブ（16）の幅と一致しており、接続ウエブ（15）の幅と一致しているカラータブ（47）よりも小さい幅に形成されている点、および、カラータブ（46）は、突出部（58）を備えており、カラー（13）の上部境界として連続する傾斜縁部（59）を提供している点を特徴とする請求項７に記載の曲折パケット。
【請求項９】
カラー（13）、接続ウエブ（15,16）から形成されるユニット、および、横断方向ウエブ（43）は、端部位置において、特に、側部壁（17,22;19,24）の領域において、部分的に、特に、カラータブ（46）の延出部（56）を備える一方の側、および、重なり部（57）を備える他方の側において、互いに補い合う点を特徴とする請求項１〜８のいずれか１に記載の曲折パケット。
【請求項１０】
下記の(a)(b)(c)を特徴とする請求項１〜９のいずれか１に記載の曲折パケット。
(a)蓋（12）は、（直線状の）関節（63）によってピボット可能にパケットの側部壁（17）に接続されている
(b)カラー（13）は、パケット前部壁（18）、パケット後部壁（19）、および、パケット側部壁（17）の反対側にあるパケット側部壁（19）の領域に延出している
(c)カラー（13）は、中間部材（72）によって接続ウエブ（16）に接続されており、前記中間部材は、カラー（13）または曲折線（73）の側縁部がパック縁部（39）の領域に（ほぼ）延出するように大きさが決められる
【請求項１１】
中間部材（72）、および、関連する接続ウエブ（16）は、（２つの）曲折ステップの後、パケットの側部壁（17）の領域に存在する点を特徴とする請求項１０に記載の曲折パケット。
【請求項１２】
２つの接続ウエブ（15,16）を接続する横断方向ウエブ（43）は、カラー（13）またはカラーの側部タブ（69,70）の形状と一致する台形を呈する点を特徴とする請求項１０または１１に記載の曲折パケット。
【発明の詳細な説明】
【技術分野】
【０００１】
説明
この発明は、曲折パケット、特に、シガレット用バンドルパックに関し、前記バンドルパックは、パケット部と、蓋部と、カラー部を形成するための一続きのブランクを含み、前記カラーは、少なくとも１つの接続ウエブを介してブランクのパケット部と接続されており、前記カラーは、接続ウエブの少なくとも１つの（ウエブ）折り曲げ線を介してブランクの内側と向き合って折り曲げることができ、前記(ウエブ)折り曲げ線は、直立したパックの両縁部を横断して延出している。
【背景技術】
【０００２】
一続きのブランクを含む曲折パケット、したがって、カラーが曲折パケット用のブランクに接続されているパケットは、既に知られている。EP0,925,228B1はその１例を示している。カラーは、(２つの)接続ウエブを介してパケット部の前部壁に接続されている。カラーをパックに対応する相対位置に移動するために、接続ウエブがＺ字状に曲折される。この曲折ステップは、シガレット用に慣習化している高生産性の包装機においては取り扱いが困難である。
【特許文献１】EP0,925,228B1
【発明の開示】
【発明が解決しようとする課題】
【０００３】
この発明は、曲折パケット、または、このタイプの曲折パケット用のブランクを提案するという課題に立脚しており、カラーが、一続きの部材をなして曲折パケットのブランクに接続されているが、パックの製造工程中において、簡単な曲折ステップによってパックの位置に移動されることができる。
【課題を解決するための手段】
【０００４】
この目的を達するために、この発明の曲折パケットは、カラーが、曲折線すなわち、カラーの境界部すなわち外側縁部において延出するカラーの曲折線を介して接続ウエブに接続される点、および、カラーが、互いに連続する２つの曲折ステップをなして、ブランクの内側面におけるパケットの位置に曲折される点を特徴とする。
【０００５】
したがって、この発明によれば、カラーは、（空間的、時間的に）互いに連続する曲折ステップにおいてパケットの前部壁と、隣接する側部壁の内側に、慣習化している位置に曲折される。このことは、カラーの曲折線が、接続ウエブに対してカラーを区画するために、カラーの最も外側の縁部に付設され、カラーの曲折線を越えて突出する突出物がないならば可能である。
【０００６】
ブランクまたは曲折パケットは、好ましくは、カラーを保持するための（２つの）接続ウエブが、直立するパック縁部を横断する方向を向くウエブ曲折線を介してブランクに接続され、カラーが、カラーを横断して配向される、つまり、パック縁部の方向に延出するカラー曲折線を介して、接続ウエブの１つに接続されるように形成される。１つの具体例は、特に有利であり、カラーを保持する接続ウエブが、中央部のパケット側部壁に接続されており、カラーは、横断方向においてこの接続ウエブに隣接する。
【０００７】
この発明は、曲折パケットにも使用することができ、この場合は、蓋が（専ら）細長い側部壁の領域においてパケットの一部にピボット可能に接続される。この場合は、カラーが特別な形状をなして、接続ウエブに取り付けられる。
【０００８】
この発明の別の様相は、接続ウエブの設計とカラーの設計に関する。
【０００９】
この発明の曲折パケットの模範具体例を以下の本文において添付図面を参照しつつより詳細に説明する。
【発明を実施するための最良の形態】
【００１０】
添付図面は、シガレット用の曲折パケット、正確には、同様に曲折パケットとして形成されるシガレットパック１０のグループを収容するバンドルパックの模範具体例を示す。この曲折パケットは、標準態様においては、(下方)パケット部１１と、蓋１２と、カラー１３を含む。このタイプの曲折パケットを製造するためのブランクは、一続きに形成される(図２、図１２参照)。カラー１３は、正確には少なくとも１つ、現具体例では２つの接続ウエブ１５，１６を介して主ブランク１４に接続される。
【００１１】
主ブランク１４は、横断方向曲折原則(principle  of  transverse  direction)にしたがって構成されている。パケット部１１のための壁と蓋１２は、横断方向において互いに隣り合って接している。すなわち、(第１の)パケット側部壁１７、パケットの前部壁１８、（第２の）パケットの側部壁１９、およびパケットの後部壁２０がそうである。パケットの側部壁１７は、曲折された場合、パケット内部において接着剤によって周囲タブ２１に接続される１つの縁部側の曲折タブを備え、前記周囲タブ２１は、パケット後部壁２０の反対側(図２の左端)になるように配置されている。
【００１２】
蓋１２の壁は、パケット部１１の壁と接する。したがって、蓋の側部壁２２、蓋の前部壁２３、蓋の側部壁２４、および、蓋の後部壁２５は、対応するように互いに配置されている。パケット部１１と蓋１２は、ブランクの領域内において互いに接続されており、蓋１２が、打ち抜きまたはミシン目の操作によって初めて開かれるまで、直線状の関節の領域まで接続状態にある。
【００１３】
図は、曲折パケットの２つの異なる具体例、すなわち、第一に、図１〜図９に記載のものと第二に、図１０〜図１３に記載のものとである。第一の模範具体例においては、パケット部１１と蓋１２との間に、打ち抜きカット部２７と残存接続部２８からなる脆弱化部すなわちミシン目線２６が存在する。ミシン目線２６は、側部壁１７、１９と２２、２４の領域において斜めに配向されており、曲折パケットにおいては慣習化しているパケット部１１と蓋１２の間の閉鎖縁部の外形と一致するように前部壁１８、２３の領域において、水平方向に延出している。パッケージの後部壁２０は、横断方向に配向された直線状関節２９によって蓋の後部壁２５に接続されている。周囲タブ２１は、蓋の側部壁２２に接続された蓋の周囲タブ３０によって蓋１２の領域に補足される。
【００１４】
蓋１２の端部タブ３１は、（蓋の後部壁２５の）内側タブ３２と（蓋の前部壁２３の）蓋の外側タブ３３、および、（蓋の側部壁２２、２４の）側部タブ３４、３５を含む。底部壁３６のための曲折タブである内側タブ３７と外側タブ３８は、互いに向き合って接するように主ブランク１４に設けられ、パケット後部壁２０とパケット前部壁１８に接続されている。
【００１５】
パケット部１１と蓋１２の直立壁は、直立するパック縁部３９、４０によって前側と後側において互いに関して区画されている。特別な現模範具体例においては、これらは、円形縁部、すなわち、パックの内容物を形成するシガレットの寸法またはシガレットパック１０の円形縁部と一致する四分円に形成される。パックの縁部３９、４０は、多数の平行なエンボス様の溝によって形成されている。
【００１６】
カラー１３は、少なくとも１つの接続ウエブ１５を介して、現具体例においては２つの接続ウエブ１５、１６を介して、主ブランク１４に接続されている。接続ウエブ１５、１６は、パケット側部壁１７、１９の連続部として延出しており、曲折線すなわちパックの縁部３９、４０を横断するウエブ曲折線４１、４２を介して関連するパケット側部壁１７，１９に接続されている。接続ウエブ１５、１６を曲折した後、これらは、内側において、関連する壁１７、１９に向き合って接する、正確には、対応する寸法のために、専らパック縁部３９、４０の円形部の間の領域において接する。
【００１７】
底部壁の曲折タブすなわち接続タブ３８の両側に延出する接続ウエブ１５，１６は、横断方向ウエブ４３によって接続タブ３８の外側において互いに接続される。前記横断方向ウエブ４３は、カラー１３を接続ウエブ１５、１６と接続するＵ字状接続ユニットを形成する。
【００１８】
カラー１３は、前記カラー１３の１つの外側縁部に設けられた曲折線、すなわち、カラーの曲折線４４を介して、接続ユニットに接続されている。前記カラーの曲折線４４は、パックの縁部３９、４０の方向に、言い換えれば、ウエブ曲折線４１、４２を横断して延出する。カラーの前部壁４５と横断方向のカラータブ４６、４７を含むカラー１３は、一方のカラータブ４７の直立外側周囲縁部の領域において、正確に言えば、この接続ウエブ１５の縁部と同様に、主ブランク１４の中央にある接続ウエブ１５に接続されている。カラーの前部壁４５は、同様に円形縁部として形成されるカラーの縁部４８、４９によって、カラータブ４６、４７に対して区画される。更に、前記接続ウエブは、横断方向ウエブ４３の領域において、円形縁部として形成される曲折縁部５０、５１を有し、前側のパックの両縁部４０の連続部として延出し、完成時のパックの内側において前記両縁部４０と向き合って接する。
【００１９】
曲折パケット用のブランクは、その一方の側だけに、つまり、曲折パケットの外側の目に見える側だけにプリント部またはコーティング層を備えるように形成される。この目に見える側を同定するために、パケット前部壁１８の領域内に１つのエンブレム５２がブランクの領域に示されている。同様に、カラー１３もまた、目に見える側に文字Ａ−Ｂ−Ｃを備えるラベル部を有している。完成時のパック（図１参照）においては、図示するように、カラーの目に見える側「Ａ−Ｂ−Ｃ」が、外側を指すようにすべきである。このために、カラー１３は、時間的にも空間的にも、互いに連続する２つの曲折ステップをなして（図５に示す）位置に移動される。このプロセスは、有利には、以下の手順である。すなわち、先ず最初に、カラー１３がカラーの曲折線４４に沿って曲折され、カラー１３は、接続ユニット（１５，１６，４３）の領域に移る（図３参照）。図示するように、カラー１３は、その幅が接続ユニットの幅に対応するような大きさに設計される。カラー前部壁４５の高さは、接続ユニットの自由な外側縁部５３が、相対位置（図３）のように、カラーの前部壁４５の下方縁部５４と（ほぼ）重なるように形成される。
【００２０】
前記の第１の曲折ステップの後、接続ウエブ１５、１６は、カラー１３とともに曲折線４１、４２に沿って曲折され、前記接続ウエブ１５、１６は、主ブランク１４の内側と接する。図４は、ブランクの（プリントが施された）目に見える側からこの曲折位置を眺めた図を示し、図５は、ブランクの後側から眺めた同じ位置を示す。これらの（２つの）曲折ステップの後、カラー１３は、パックの位置における主ブランク１４の（直立する）内側に配置される。カラー１３のプリント部側「Ａ−Ｂ−Ｃ」は、主ブランク１４のプリント側として同じ側に位置を占める。
【００２１】
カラー１３と接続ウエブ１５、１６は、特別な態様で、互いに順応される。接続ウエブ１５は、カラーのタブ４７の部分領域に１つの接続部が存在する程度まで延出される。反対側にあるカラーのタブ４６は、関連するパケット側部壁１７と蓋の側部壁２２よりも比較的小さい幅を有する。接続ウエブ１６もまた、対応する態様で、小幅に形成されるので、パケットの側部壁１７のストリップ５５もまた、これらのブランクの一部１６、４６が側部壁１７、２２の内側と接触するとき縁部側において自由のまま残る。周囲タブ２１を、この領域において、接着によってパケットの側部壁１７に直接接合して、周囲タブ２１が、カラーのタブ４６および接続ウエブ１６と同じ面内にあるようにすることが可能である。カラータブ４６は、曲折位置において下方を向く延出部５６を備え、内側において接続ウエブ１６と向き合って接する。反対側においては、三角形の重なり部５７の領域において、カラータブ４７と接続ウエブ１５との対応する重なり部が存在する。
【００２２】
カラーのタブ４６は、上部領域において、横断方向を向く、ここでは三角形状を呈する突出部５８を有する。この突出部５８は、カラータブ４６の上部傾斜縁部５９の一部を形成する。図１からわかるように、この傾斜縁部５９は、パックの後側に向かって落下して遠ざかる態様で、側部壁１７，２２の（ほぼ）全幅に亘って延出している。
【００２３】
この突出部５８は、パケットの側部壁１７または蓋の側部壁２２の縁部において、周囲タブ２１と蓋の周囲タブ３０の間の略三角形の凹部６２内に進入する（図８参照）ので、この領域にも、全体に亘って二層の重なり部が存在する。
【００２４】
増強された安定性を提供するために、カラー、および/または接続ユニットは、主ブランク１４の内側、正確には、接着によってパケット前部壁１８に接合される。カラーの前部壁４５と横断方向ウエブ４３は、いずれも、接着剤の１スポット６０，６１を介してパケットの前部壁１８の内側に固定されている。
【００２５】
図１０〜１３の曲折パケットは、（細長い）パケットの側部壁１７または蓋の側部壁２２の領域に直線状の関節６３が形成されるように設計される。配置は次のようになされる。すなわち、パケットの縁部側の側部壁１７と関連する蓋の側部壁２２が、横断方向に配向された直線状関節６３を備える。完成時のパックにおいては、側部壁１７/２２が、周囲タブ２１または蓋の周囲タブ３０に接続されている。直線状の関節もまた、これらの周囲タブ２１/３０の領域に延出する、すなわち、その部分関節６４が直線状関節６３の延出部として延出する。
【００２６】
パケット部１１と蓋部１２を区画するための曲折線２６は、どちらも、パックの前側１８/２３またはパックの後側２０/２５の領域に１つのセクション６５、６６を備える。これらの２つのセクションは、下方に向かう直線をなして、直線状の関節６３の両端部または部分関節６４から、側部壁１９/２４の領域におけるミシン目線６７に向かって延出している。蓋１２は、横断方向セクション６７から出発して有利に開かれている。
【００２７】
この模範具体例においては、カラー１３もまた、特別な態様で形成され、パケットの側部壁１９および隣接するパック壁１８，２０の領域において連続して延出している。カラー１３の一部の領域は、横断方向を向く曲折線によって互いに画定されており、カラーの縁部４８、４９を規定している。比較的細長いカラーの端部壁６８はしたがって、内側においてパケットの側部壁１９と対向して接するように作り出され、２つの対応するカラーの側部タブ６９、７０もまた、パケットの前部壁１８またはパケットの後部壁２０と対向して接するように作り出される。カラーの側部タブ６９、７０は、どちらも、端部壁６８に向かって下がる上部カラー縁部７１を有する。
【００２８】
カラー１３は、接続ウエブ１５または１６に、今の場合は、２つの接続ウエブ１５、１６と横断方向ウエブ４３とを含むＵ字状ユニットに接続されている。この接続部材１５、１６、４３は、図１〜図９の模範具体例に類似した態様で形成される。横断方向ウエブ４３は、ミシン目線２６の形状に適合するように、台形をなして逸れていく態様で設計されている。更には、カラー１３が中間部材７２を介して（縁部側の）接続ウエブ１６または横断方向ウエブ４３に特別に接続されている。中間部材７２は、互いに連続する２つの曲折ステップの後、主ブランク１４の内側におけるカラー１３の相対位置を正確に保証する。カラー１３またはカラーの側部タブ６９の一方の縁部は、曲折線７３を介して中間部材７２に接続されている。
【００２９】
ブランク全体の調製すなわち曲折パックの製造において、この模範具体例における手順は、図１〜図９のそれに類似している。先ず最初に、中間部材７２を有するカラー１３が、ユニット１５、１６、４３の後側または横断方向ウエブ４３の後側と向き合ってカラーの曲折線４４に沿って曲折される。この最初の曲折位置において、カラー１３のプリントが施されていない、すなわち、未処理の面および横断方向ウエブ４３が、互いに接する。ついで、ウエブ曲折線４１、４２に沿って、正確に言えば、主ブランク１４の（プリントが施されていない）内側に向かって曲折が行われる。図１３は、この第２の曲折位置を示す。カラー１３は、横断方向ウエブ４３と主ブランク１４の間に位置している。カラー１３の処理を施された側（Ａ−Ｂ−Ｃ）は、主ブランクのプリントを施した側と同じ側を向いている。中間部材７２は、パケットの側部壁１７の内側に、正確には、直線状関節６３の直下にある。曲折線７３は、パケットの側部壁１７とパケットの前部壁１８の間の（直角の）パック縁部の領域に正確に存在する。次に、部分領域に２層または３層を持つブランクが横断方向曲折原則によって曲折される。
【００３０】
この模範具体例においては、蓋１３のための閉鎖補助手段を形成するために、Ｃ字状の打ち抜き部７４が、カラーの縁部４８，４９の領域に作られる。これらの形状を付与された打ち抜き部７４は、カラーの縁部４８、４９の領域に突出する「耳」（ears）を形成し、これらの耳が公知の態様で蓋の閉鎖補助部材を形成する（図１１参照）。
【００３１】
図１０〜図１３の模範具体例は、断面が直角をなすパック縁部３９を有する。この具体例は、代替例として、円形の縁部に形成することも可能である。
【符号の説明】
【００３２】
参照符号一覧表
１０…シガレットパック、１１…パケット部、１２…蓋、１３…カラー、１４…主ブランク、１５…接続ウエブ、１６…接続ウエブ、１７…パケット側部壁、１８…パケット前部壁、１９…パケット側部壁、２０…パケット後部壁、２１…周囲タブ、２２…蓋の側部タブ、２３…蓋の前部タブ、２４…蓋の側部タブ、２５…蓋の後部タブ、２６…ミシン目線、２７…打ち抜き部、２８…残存接続部、２９…直線状関節、３０…蓋の周囲タブ、３１…端部壁、３２…内側タブ、３３…蓋タブ、３４…側部タブ、３５…側部タブ、３６…底部壁、３７…内側タブ、３８…外側タブ、３９…パック縁部、４０…パック縁部、４１…ウエブ曲折線、４２…ウエブ曲折線、４３…横断方向ウエブ、４４…カラー曲折線、４５…カラー前部壁、４６…カラータブ、４７…カラータブ、４８…カラー縁部、４９…カラー縁部、５０…曲折縁部、５１…曲折縁部、５２…エンブレム、５３…外側縁部、５４…下方縁部、５５…ストリップ、５６…延出部、５７…重なり部、５８…突出部、５９…傾斜縁部、６０…接着剤スポット、６１…接着剤スポット、６２…凹部、６３…直線状関節、６４…部分関節、６５…セクション、６６…セクション、６７…横断方向セクション、６８…カラー端部壁、６９…カラー側部壁、７０…カラー側部壁、７１…カラー縁部、７２…中間部材、７３…曲折線、７４…打ち抜き部、
【図面の簡単な説明】
【００３３】
【図１】蓋を開いた状態にある曲折パケット、すなわち、バンドルパックの斜視図。
【図２】図１の曲折パケット用の展開ブランクの外観図。
【図３】初回の曲折ステップ後の図２のブランク。
【図４】２回目の曲折ステップの後の図２、図３のブランク。
【図５】内側から眺めた図４のブランクの拡大図。
【図６】蓋を閉じた位置にある図１の曲折パケットの斜視図。
【図７】図６のパックの垂直方向の部分断面図、すなわち、同図のVII−VII断面における部分断面図。
【図８】図６のパックのVIII−VIII断面における(ほぼ)中央垂直方向断面図。
【図９】図６のパックのIX−IX断面における更に別の垂直方向断面。
【図１０】横断方向に回動することができる蓋を有する曲折パケットを蓋が閉じた斜視図で示す。
【図１１】蓋が開いた図１０の曲折パケットを示す。
【図１２】図１０、１１の曲折パケット用のブランクを展開状態で示す。
【図１３】図１２のブランクを中間の曲折位置、正確には、後方から眺めた状態で示す図。
【図１】
2007537937.tif 000003
【図２】
2007537937.tif 000004
【図３】
2007537937.tif 000005
【図４】
2007537937.tif 000006
【図５】
2007537937.tif 000007
【図６】
2007537937.tif 000008
【図７】
2007537937.tif 000009
【図８】
2007537937.tif 000010
【図９】
2007537937.tif 000011
【図１０】
2007537937.tif 000012
【図１１】
2007537937.tif 000013
【図１２】
2007537937.tif 000014
【図１３】
2007537937.tif 000015
【国際調査報告】
2007537937.tif 000016
2007537937.tif 000017
2007537937.tif 000018
2007537937.tif 000019
2007537937.tif 000020
2007537937.tif 000021